(57)【特許請求の範囲】
【請求項１】
上下方向に延伸する対をなす構造材からなるものであり中間位置において横方向に構造材を挿通させる長手方向に二分し得る開口を有する第一延伸材と、
前記開口に対し隙間を形成した状態で前記横方向に挿通し得る単一の構造材であり上面側に前記横方向に対し直交する奥行き方向に延伸する構造材を載置するための載置面を有した第二延伸材と、
前記載置面上に載置され且つ前記第一延伸材を挟持し奥行き方向に延伸する対をなす構造材であり上面側に前記隙間に連通すべく凹ませた凹みを有する第三延伸材と、
前記凹みを通過し且つ前記隙間を挿通する単一の構造材である楔材と、
前記対をなす構造材同士、或いは前記第二延伸材及び前記楔材のうち少なくとも何れか一組を互いに離間させる作用力を付与することにより延伸方向が異なる他の構造材に対し押し付け力を発生させる押し付け手段と
を備えたことを特徴とする什器の仕口構成体。
【請求項２】
前記第一延伸材が前記開口を二分し得るように分割し得る半割構造をなすものであり、
上下方向に亘って延伸し前記開口を構成し得る開口形成部を有する第一線材と、
この前記開口形成部を有し前記第一線材の少なくとも長手方向の一部分に突き合わされることにより前記第一線材とともに前記開口を構成し得る開口形成部を有する第一補助材とを具備していることを特徴とする請求項１記載の什器の仕口構成体。
【請求項３】
前記楔材が、前記第一補助材と同形状をなすことを特徴とする請求項２記載の什器の仕口構成体。
【請求項４】
前記第三延伸材が前記第一延伸材を挟持する部分が対称形状をなす半割構造をなすものであり、
奥行き方向に亘って延伸する第三線材と、
前記第三線材の長手方向の少なくとも一部分に突き合わされる前記凹みを有する第三補助材とを具備していることを特徴とする請求項１〜３の何れかに記載の什器の仕口構成体。
【請求項５】
前記押し付け手段が、前記構造材に設けられた雌ねじ部と、この雌ねじ部に螺着され当該雌ねじ部から他の構造材を押圧すべくねじ送り動作により前記対をなす構造材のうち一方から他方へ向けて、又は、前記第二延伸材及び楔材のうち一方から他方へ向けて突出し得る押圧部とを有している請求項１〜４の何れかに記載の什器の仕口構造体。
【請求項６】
前記雌ねじ部が、前記構造材の一面に雌ねじ加工を施してなる雌ねじ本体と、前記雌ねじ本体の底部から前記一面に背反する他面まで貫通して設けられた工具挿通孔とを有するものであり、
前記押圧部が、前記雌ねじ本体に螺合する雄ねじ面と、工具挿通孔に臨む位置に設けられ所定の工具により回転力を付与されるための所定形状をなす工具差込穴とを有するものである請求項５記載の什器の仕口構造体。
【請求項７】
前記構造材が概略四角柱形状をなす金属素材からなるものであり、四角形状を構成する角部分に面取り加工を施している請求項１〜６の何れかに記載の什器の仕口構成体。
【請求項８】
請求項１〜７の何れかに記載の什器の仕口構造体を少なくとも一部に有してなることを特徴とする什器。
【請求項９】
少なくとも何れかの前記構造材にオプション部材が一体的に付帯している請求項８記載の什器。
【請求項１０】
前記オプション部材が、棚板である請求項９記載の什器。
【発明の詳細な説明】
【技術分野】
【０００１】
本発明は、釘を用いずに仕口を構成でき、種々の什器の組み立てに利用可能な什器の仕口構成体および什器に関する。
【背景技術】
【０００２】
従来、テーブルや棚などの什器には、様々なものが市場に供されている。特に、近年は軽量で安価なもの、組立分解が容易なものが数多く流通しており、機能重視の場合にはスチール家具、デザイン重視の場合には欧風の家具などが購入される場合が少なくない。
【０００３】
こうした什器の例は、先行技術文献として特許文献（例えば、特許文献１参照）を挙げるまでもなく、枚挙にいとまはない。
【先行技術文献】
【特許文献】
【０００４】
【特許文献１】特開２０１５−１９６０２２号公報
【発明の概要】
【発明が解決しようとする課題】
【０００５】
ところで、近年の住宅事情を見ると、規格化された住宅がコスト的にも圧倒的に多いが、それでも注文建築の人気は根強く、日本の伝統建築にのっとって、今日においても釘を用いずに、柱や梁、桁を軸組み工法によって組んだ建築物も多く見られる。
【０００６】
このような構造には、ホゾ・差し・相欠き等が柱や梁、桁の仕口のいたるところで見受けられる。
【０００７】
こうした日本建築は施主の意向を反映して一品製作的に作られるのであるが、完成した後の建物内に配置する什器についても施主のこだわりが強い場合が少なくない。
【０００８】
すなわち、伝統的な建築物のなかに釘や接着剤を使った什器を入れたり、今風にデザインされた什器を配置したりすると、折角の建築物との親和性が悪くなって統一感が害されるため、あえて一品製作物の什器を要望される場合がある。
【０００９】
しかしながら、このような一品製作的なカテゴリーの商品は、材料や構造が特殊であるうえに熟練技を要するために高コストとなり、技術の積み上げも期待できない。
【００１０】
本発明は、このようなシーンに端を発したものであり、釘や接着剤を使わず、敢えて仕口が露出する什器の仕口構成体を実現し、これにより上記の如き用途に資するとともに、什器の新たな展開を図ることを目的としている。
【課題を解決するための手段】
【００１１】
本発明は、かかる目的を達成するために、次のような手段を講じたものである。
【００１２】
すなわち、本発明に係る什器の仕口構成体は、上下方向に延伸する対をなす構造材からなるものであり中間位置において横方向に構造材を挿通させる長手方向に二分し得る開口を有する第一延伸材と、前記開口に対し隙間を形成した状態で前記横方向に挿通し得る単一の構造材であり上面側に前記横方向に対し直交する奥行き方向に延伸する構造材を載置するための載置面を有した第二延伸材と、前記載置面上に載置され且つ前記第一延伸材を挟持し奥行き方向に延伸する対をなす構造材であり上面側に前記隙間に連通すべく凹ませた凹みを有する第三延伸材と、前記凹みを通過し且つ前記隙間を挿通する単一の構造材である楔材と、前記対をなす構造材同士、或いは前記第二延伸材及び前記楔材のうち少なくとも何れか一組を互いに離間させる作用力を付与することにより延伸方向が異なる他の構造材に対し押し付け力を発生させる押し付け手段とを備えたことを特徴とする。
【００１３】
このようなものであれば、釘等を用いることなく仕口を構成することができ、仕口を組み合わせて多彩なバリエーションに展開することができる。さらに、ノックダウンが可能で熟練を要さずに組み立てが容易であり、多彩な形態も仕口構成体を共通パーツとして表現できるため、この種のカテゴリーの什器を極めて安価に構成することができる。さらに、楔材を外せば容易に分離できるため、違う形態のものに再構築するといった利用も可能になる。
【００１４】
特に、形態や強度を適切に維持するためには、第一延伸材が開口を二分し得るように分割し得る半割構造をなすものであり、上下方向に亘って延伸し開口を構成し得る開口形成部を有する第一線材と、この開口形成部を有し第一線材の少なくとも長手方向の一部分に突き合わされることにより第一線材とともに開口を構成し得る開口形成部を有する第一補助材とを具備していることが望ましい。
【００１５】
また、各構成部品の品種数を削減して製造効率を有効に向上させるためには、楔材が、第一補助材と同形状をなすようにすることが望ましい。
【００１６】
更に、形状の簡素化に伴う強度の担保を行うためには第三延伸材を、第一延伸材を挟持する部分が対称形状をなす半割構造をなすものとし、奥行き方向に亘って延伸する第三線材と、第三線材の長手方向の少なくとも一部分に突き合わされる凹みを有する第三補助材とを有するものとすることが望ましい。
【００１７】
そして、より強度を高め得る構成の一例として、押し付け手段を、構造材に設けられた雌ねじ部と、この雌ねじ部に螺着され当該雌ねじ部から他の構造材を押圧すべくねじ送り動作により対をなす構造材のうち一方から他方へ向けて、又は、第二延伸材及び楔材のうち一方から他方へ向けて突出し得る押圧部とを有するものとすることが好ましい。
【００１８】
また、押し付け手段による作用をより容易且つ有効に得るようにするためには、雌ねじ部を、構造材の一面に雌ねじ加工を施してなる雌ねじ本体と、雌ねじ本体の底部から一面に背反する他面まで貫通して設けられた工具挿通孔とを有するものとし、
押圧部が、雌ねじ本体に螺合する雄ねじ面と、工具挿通孔に臨む位置に設けられ所定の工具により回転力を付与されるための所定形状をなす工具差込穴とを有するようにすることが望ましい。
【００１９】
更に、什器そのものをより扱いやすくし得る構成として、構造材が概略四角柱形状をなす金属素材からなるとし、四角形状を構成する角部分に面取り加工を施すようにする構成を挙げることができる。
【００２０】
また、本発明に係る什器は、上述した仕口構造体を少なくとも一部に有してなることを特徴とする。
【００２１】
そして、より扱いやすい什器を個性するためには、少なくとも何れかの構造材にオプション部材が一体的に付帯しているようにすることが望ましい。
【００２２】
加えて、当該オプション部材の一例として、棚板を挙げることができる。
【発明の効果】
【００２３】
以上説明した本発明によれば、釘や接着剤を用いることなく仕口を構成することができ、仕口を組み合わせて多彩なバリエーションの構造物に展開することができるだけでなく、伝統的な建築物との親和性に優れ、組み立て分解、再構築も容易な、従来にはない斬新な仕口構成体及び什器を提供することができる。
【図面の簡単な説明】
【００２４】
【図１】本発明の一実施形態に係る正面図。
【図２】同側面図。
【図３】同実施形態に係る要部の外観図。
【図４】同実施形態に係る作用説明図。
【図５】同上。
【図６】同上。
【図７】同上。
【図８】同上。
【図９】同実施形態に係る要部を拡大した部分断面図。
【発明を実施するための形態】
【００２５】
以下、本発明の一実施形態を、図面を参照して説明する。
【００２６】
図１及び図２は、本実施形態の仕口構成体Ａを利用して什器Ｄを構成した例を示し、図３、図４は仕口構成体Ａ及び当該仕口構成体Ａを構成する構成部品図である。すなわち図１及び図２は本実施形態の仕口構成体Ａにオプション部材である棚板６及びアジャスタ７を付帯させることにより、什器Ｄを構成している。棚板６は、例えば板金素材をプレス加工等により適宜成形したものである。当該棚板６は、既存の種々の構成のものを適宜利用することができる。
【００２７】
また本実施形態では、仕口構成体Ａを構成する各構造材がそれぞれ概略四角柱形状をなす金属素材からなるものであり、四角形状を構成する角部分に面取り加工を施しているが、当該面取り加工については既存の種々の形状を適宜利用し得るため、詳細な説明は省略する。
【００２８】
ここで、本実施形態に係る仕口構成体Ａは、上下方向に延伸する対をなす構造材からなるものであり中間位置において横方向に構造材を挿通させる長手方向に二分し得る開口１ａを有する第一延伸材１と、開口１ａに対し隙間２ｂを形成した状態で横方向に挿通し得る単一の構造材であり上面側に横方向に対し直交する奥行き方向に延伸する構造材を載置するための載置面２ａを有した第二延伸材２と、載置面２ａ上に載置され且つ第一延伸材１を挟持し奥行き方向に延伸する対をなす構造材であり上面側に隙間２ｂに連通すべく凹ませた凹み３ｂを有する第三延伸材３と、凹み３ｂを通過し且つ隙間２ｂを挿通する単一の構造材である楔材４と、対をなす構造材同士、或いは第二延伸材２及び楔材４のうち少なくとも何れか一組を互いに離間させる作用力を付与することにより延伸方向が異なる他の構造材に対し押し付け力を発生させる押し付け手段５とを備えたことを特徴とする。
【００２９】
以下、本実施形態に係る什器Ｄの仕口構成体Ａについて図１〜図９に示して説明する。
【００３０】
第一延伸材１は、所謂支柱としての役割を奏するものであり、開口１ａを二分し得るように分割し得る半割構造をなす第一線材１１及び第一補助材１２からなるものである。この第一延伸材１は、上下方向に亘って延伸し開口１ａを構成し得る開口形成部１３を有する第一線材１１と、この開口形成部１３を有し第一線材１１の少なくとも長手方向の一部分に突き合わされることにより第一線材１１とともに開口１ａを構成し得る開口形成部１３を有する第一補助材１２とを具備している。
【００３１】
第二延伸材２は、開口１ａを挿通した状態で上方から第三延伸材３を載置するための載置面２ａを有している。また、開口１ａを挿通し、第三延伸材３を載置した状態で、開口１ａの一部を塞がずに隙間２ｂが形成されるように構成している。また本実施形態では、この載置面２ａの形状を上述した開口形成部１３と同じ形状をなすように成形している。
【００３２】
第三延伸材３は、第一延伸材１を左右から挟持する部分である挟持部３ａと、楔材４を挿通させるための凹み３ｂとを有するものであり、互いに部分対称形状をなす半割構造をなす第三線材３１及び第三補助材３２からなるものである。そして本実施形態では、第三線材３１及び第三補助材３２のうち、第三線材３１のみを奥行き方向に亘って延伸するように構成し、第三補助材３２を、仕口構成体Ａを構成し得る部分のみの長手寸法を有するように構成している。
【００３３】
楔材４は、図３等に示すように、本実施形態では第一補助材１２と同形状をなすものを適用している。これにより、什器Ｄを構成する部品の品種数を有効に削減せしめている。しかしながら当該楔材４は勿論、第一補助材１２と同形状をなす必要は無く、単に概略直方体形状をなすものを適用しても良い。
【００３４】
そして本実施形態では、これら各構成材を図５〜図８に示すように組み付けていくことにより、仕口構成体Ａを形成している。すなわち図５に示すようにまず、第一延伸材１を構成する第一線材１１及び第一補助材１２を、各開口形成部１３を向かい合わせることで開口１ａを形成する。しかる後に図６に示すように、載置面２ａを上方に向けた第二延伸材２を開口１ａに挿通させる。そして図６及び図７に示すように、載置面２ａ上に第三延伸材３が隙間無く載置されるように第三線材３１及び第三補助材３２を載置する。この状態で開口１ａの上側半分が閉鎖されていない隙間２ｂが形成された状態となる。そして、当該隙間２ｂに楔材４を挿通することによって、図８に示すような仕口構成体Ａが形成される。
【００３５】
そして本実施形態では図９に具体的に示すように、第一延伸材１及び第三延伸材３を構成する対をなす構造材同士、及び第二延伸材２及び楔材４を互いに離間させる作用力を付与することにより延伸方向が異なる他の構造材に対し押し付け力を発生させる押し付け手段５を備えたことを特徴とする。換言すれば、当該押し付け手段５は、本実施形態では第一補助材１２、楔材４及び第三補助材３２にそれぞれ設けることにより、上下方向、幅方向及び奥行き方向にそれぞれ押し付け力を発生せしめている。この図９は、図１、図２に示したそれぞれ仕口構成体Ａを示すＰ部、Ｑ部を拡大し、一部を破断して示したものである。
【００３６】
押し付け手段５は、構造材である第一補助材１２、楔材４及び第三補助材３２にそれぞれ設けられた雌ねじ部５１と、この雌ねじ部５１に螺着され当該雌ねじ部５１から他の構造材を押圧すべくねじ送り動作により突出し得る押圧部５２とを有している。具体的に説明すると、雌ねじ部５１は、構造材の一面に雌ねじ加工を施してなる雌ねじ本体５１ａと、雌ねじ本体５１ａの底部から一面に背反する他面まで貫通して設けられた工具挿通孔５１ｂとを有するものである。また押圧部５２は、本実施形態では構造材を構成する金蔵素材を傷つける事無く押圧し得る例えば硬質樹脂性の雄ねじ要素を主体とするものであり、雌ねじ本体５１ａに螺合する雄ねじ面５２ａと、工具挿通孔５１ｂに臨む位置に設けられ所定の工具により回転力を付与されるための所定形状をなす工具差込穴５２ｂとを有するものである。つまり押し付け手段５による押し付け力を発生するためには、例えば六角レンチといった所定の工具を工具挿通孔５１ｂから挿通し、工具差込穴５２ｂに係合させ、当該工具を回転させることにより、押圧部５２をねじ送り方向に動作させれば良い。この押し付け手段５により、仕口構成体Ａを構成する各構成材同士が互いに押圧し合うこととなり、仕口構成体Ａ自体の組み付け強度が有効に向上し、ひいては什器Ｄ自体の強度が向上することとなる。
【００３７】
以上のように、本実施形態に係る什器Ｄを構成する仕口構成体Ａは、対をなす構造材同士、或いは第二延伸材２及び楔材４を互いに離間させる作用力を付与することにより延伸方向が異なる他の構造材に対し押し付け力を発生させる押し付け手段５を備えたことを特徴とする。
【００３８】
斯かる構成により、釘等を用いることなく仕口を構成することができ、仕口を組み合わせて多彩なバリエーションに展開することができる。さらに、ノックダウンが可能で熟練を要さずに組み立てが容易であり、多彩な形態も仕口構成体Ａを共通パーツとして表現できるため、この種のカテゴリーの什器Ｄを極めて安価に構成することができる。さらに、楔材４を外せば容易に分離できるため、違う形態のものに再構築するといった利用も可能になる。
【００３９】
また本実施形態では、第一延伸材１を、開口１ａを二分し得るように分割し得る半割構造をなすものでとし、上下方向に亘って延伸し開口１ａを構成し得る開口形成部１３を有する第一線材１１と、この開口形成部１３を有し第一線材１１の少なくとも長手方向の一部分に突き合わされることにより第一線材１１とともに開口１ａを構成し得る開口形成部１３を有する第一補助材１２とを具備しているものとすることで、シンプルな形状で必要十分な強度を獲得している。
【００４０】
また本実施形態では楔材４を、第一補助材１２と同形状をなすようにすることで、各構成部品の品種数を削減して製造効率を有効に向上せしめている。
【００４１】
そして本実施形態では第三延伸材３を、第一延伸材１を挟持する部分が対称形状をなす半割構造をなすものとし、奥行き方向に亘って延伸する第三線材３１と、第三線材３１の長手方向の少なくとも一部分に突き合わされる凹み３ｂを有する第三補助材３２とを有するものとするものとし、更なる形状の簡素化並びに強度の向上を実現している。
【００４２】
更に本実施形態では、押し付け手段５を、構造材に設けられた雌ねじ部５１と、この雌ねじ部５１に螺着され当該雌ねじ部５１から他の構造材を押圧すべくねじ送り動作により対をなす構造材のうち一方から他方へ向けて、又は、第二延伸材２及び楔材４のうち一方から他方へ向けて突出し得る押圧部５２とを有するものとすることで、簡素な構成で押し付け手段５を実現し、容易に什器Ｄの強度を高めている。
【００４３】
また、押し付け手段５による作用をより容易且つ有効に得るようにするために本実施形態では、雌ねじ部５１を、構造材の一面に雌ねじ加工を施してなる雌ねじ本体５１ａと、雌ねじ本体５１ａの底部から一面に背反する他面まで貫通して設けられた工具挿通孔５１ｂとを有するものとし、押圧部５２が、雌ねじ本体５１ａに螺合する雄ねじ面５２ａと、工具挿通孔５１ｂに臨む位置に設けられ所定の工具により回転力を付与されるための所定形状をなす工具差込穴５２ｂとを有するように構成している。
【００４４】
更に、什器Ｄそのものをより扱いやすくし得る構成として、構造材が概略四角柱形状をなす金属素材からなるとし、四角形状を構成する角部分に面取り加工を施すようにする構成を適用している。
【００４５】
以上、本発明の一実施形態について説明したが、各部の具体的な構成や断面形状、材料等は上述した実施形態のみに限定されるものではない。
【００４６】
例えば、上記実施形態では各構造材を金属により構成したが勿論、構造材を構成する素材は別途種々のものを適宜適用することができる。また上記実施形態では第一補助材、第三補助材及び楔材を単一の仕口構成体に対応するようコンパクトに構成したが、什器全体としての強度をさらに向上させるためには、これらを複数の仕口構成体にまたがるよう長尺に構成してもよい。加えて、上記実施形態では第一線材及び第一補助材の前後位置、第三線材及び第三補助材の左右位置、第二延伸材及び楔材の上下位置を、それぞれ什器における位置に応じて適宜設定したが勿論、これらの配置は図示の態様に限定されず任意に設定し得る。さらにまた、１本の柱体を構成する各線材を色違いで構成する展開等も可能である。
【００４７】
その他の構成も、本発明の趣旨を逸脱しない範囲で種々変形が可能である。
【符号の説明】
【００４８】
１…第一延伸材
２…第二延伸材
３…第三延伸材
４…楔材
５…押し付け手段
６…オプション部材（棚板）
Ｄ…什器
【図１】
0006608718.tif 000002
【図２】
0006608718.tif 000003
【図３】
0006608718.tif 000004
【図４】
0006608718.tif 000005
【図５】
0006608718.tif 000006
【図６】
0006608718.tif 000007
【図７】
0006608718.tif 000008
【図８】
0006608718.tif 000009
【図９】
0006608718.tif 000010